(57)【要約】【課題】刈取作業中に塵埃が操縦席側に侵入するのを防止して操縦者の作業環境を清浄に維持すると共に、操縦部のメンテナンス作業の能率を高める。【解決手段】走行車台（２）の前部に設けた操縦席（７）の左側に、前後に２分割した前操縦パネル（８）と後操縦パネル（９）を設け、該前操縦パネル（８）と後操縦パネル（９）の左側に刈取装置（４）側の塵埃が操縦席（７）側に侵入するのを防止する防塵カバー（１０）を配置し、該防塵カバー（１０）の前部を前操縦パネル（８）の左側面部（８ａ）に固着し、該防塵カバー（１０）の後部を後操縦パネル（９）の左側面部（９ａ）に着脱自在に係止する。【選択図】  図４
2009232768.tif 000002
【特許請求の範囲】
【請求項１】
走行車台（２）の前部に設けた操縦席（７）の左側に、前後に分割した前操縦パネル（８）と後操縦パネル（９）を設け、該前操縦パネル（８）と後操縦パネル（９）の左側に刈取装置（４）側の塵埃が操縦席（７）側に侵入するのを防止する防塵カバー（１０）を配置し、該防塵カバー（１０）の前部を前操縦パネル（８）の左側面部（８ａ）に固着し、該防塵カバー（１０）の後部を後操縦パネル（９）の左側面部（９ａ）に着脱自在に係止したことを特徴とするコンバインの操縦部構造。
【発明の詳細な説明】
【技術分野】
【０００１】
この発明は、コンバインの操縦部構造に関するものである。
【背景技術】
【０００２】
コンバインで立毛穀稈を刈取る作業は、操縦席の操縦者により、該コンバインが走行操作され、前部の刈取装置で立毛穀稈が刈取りされて後方上部へ移送され、この刈取穀稈が脱穀装置内へ供給されて脱穀される。このような刈取作業において、刈取装置で穀稈を移送する際に、移送中の穀稈から塵埃が発生するが、従来は、特許文献１に示すように、操縦席の左側の操縦台には、この塵埃等の侵入を防止する防塵カバーは設けられておらず、操縦者が塵埃を吸い込むことがあり、非衛生的である。
【特許文献１】特開平１１−１２７６６７号公報
【発明の開示】
【発明が解決しようとする課題】
【０００３】
穀稈を刈取る刈取装置から発生する塵埃等を、運転作業者が吸い込まないような構成にしようとするものである。
【課題を解決するための手段】
【０００４】
上述のような課題を解決するために、この発明は、次のような技術手段を講じる。
即ち、走行車台（２）の前部に設けた操縦席（７）の左側に、前後に分割した前操縦パネル（８）と後操縦パネル（９）を設け、該前操縦パネル（８）と後操縦パネル（９）の左側に刈取装置（４）側の塵埃が操縦席（７）側に侵入するのを防止する防塵カバー（１０）を配置し、該防塵カバー（１０）の前部を前操縦パネル（８）の左側面部（８ａ）に固着し、該防塵カバー（１０）の後部を後操縦パネル（９）の左側面部（９ａ）に着脱自在に係止したことを特徴とするコンバインの操縦部構造としたものである。
【発明の効果】
【０００５】
この発明によれば、防塵カバー１０の前部を前操縦パネル８の左側面部８ａに固着し、該防塵カバー１０の後部を後操縦パネル９の左側面部９ａに着脱自在に係止したことにより、刈取作業中に塵埃が操縦席７側に侵入するのを防止して操縦者の作業環境を清浄に維持できるものでありながら、後操縦パネル９を取り外して該後操縦パネル９の下側に隠れていた操作連繋機構等のメンテナンスを行う際に、防塵カバー１０の後部をこの後操縦パネル９から外して後操縦パネル９を容易に取り外すことができ、メンテナンス作業の能率を高めることができる。
【発明を実施するための最良の形態】
【０００６】
以下、本発明の一実施例を図面に基づいて説明する。
コンバイン１の走行車台２の下側に走行装置３を設け、前方部に立毛穀稈を刈取る刈取装置４を設けると共に、該走行車台２の上側に該刈取装置４で刈取り移送される刈取り穀稈を、引継ぎ脱穀する脱穀装置５と、該脱穀装置５の右横側に脱穀済みで選別済み穀粒の供給を受けて、一時貯留する穀粒貯留タンク６とを載置している。
【０００７】
前記走行車台２前部で該脱穀装置５の前部に設けた操縦席７の左横側には、コンバイン１の走行装置３と、刈取装置４と、脱穀装置５等とを始動、及び停止等との操作を行う操作装置である。前後に２分割した前操縦パネル８と、後操縦パネル９とを設け、該前操縦パネル８と、該後操縦パネル９との全ての左側面部（イ）には、該刈取装置４部内と該前操縦パネル８部内、及び該後操縦パネル９部内とに、該刈取装置４で穀稈を刈取り中、又は後方上部へ移送中に発生する塵埃等の進入を防止する防塵カバー１０を、該前操縦パネル８には固着状態に設けると共に、該後操縦パネル９には着脱自在に装着して設けている。該前・後操縦パネル８、９、及び該防塵カバー１０等を主に図示して説明する。
【０００８】
前記コンバイン１の走行車台２の下側には、図１、及び図２で示すように、土壌面を走行する左右一対の走行クローラ３ａを張設した走行装置３を配設し、走行車台２の上側面には、刈取り穀稈を引継ぎ脱穀する脱穀装置５を載置している。該走行車台２の前方部の刈取装置４で立毛穀稈を刈り取りして、後方上部に移送し、該脱穀装置５のフィードチェン５ａと、挟持杆５ｂとで引継いで挟持移送しながら脱穀する。脱穀済みで選別済み穀粒は、該脱穀装置５の右横側へ配設した穀粒貯留タンク６内へ供給され、一時貯留される。
【０００９】
前記走行車台２前部で該脱穀装置５の前部に設けた、運転作業者が着座する操縦席７の左側には、図１〜図４で示すように、コンバイン１の走行装置３と、刈取装置４と、脱穀装置５等とを始動、及び停止等の操作を行う操作装置である。前後に２分割した前操縦パネル８と、後操縦パネル９とを設け、該前操縦パネル８と、該後操縦パネル９との全ての左側面部（イ）には、該刈取装置４部内と、該前操縦パネル８部内、及び該後操縦パネル９部内とに、該刈取装置４で穀稈を刈取り中、又は後方上部へ移送中に発生する塵埃等の進入を防止する防塵カバー１０を、該前操縦パネル８には固着状態に設けると共に、該後操縦パネル９には着脱自在に装着して設けている。
【００１０】
前記コンバイン１で立毛穀稈の収穫作業は、該コンバイン１を操縦席７に着座した運転作業者が、該操縦席７の左側に、前後に２分割して設けた、前操縦パネル８と、後操縦パネル９とを操作して、圃場面を走行させると、穀稈は刈取装置４で刈取りされ、後方上部へ移送される。
【００１１】
上述の穀稈を刈取り作業中に、刈取る穀稈より発生する塵埃等は、走行車台２前部の操縦席７の左横側に、前後に２分割して設けた、前操縦パネル８と後操縦パネル９との左側の全側面部（イ）には、刈取装置４部内と該前操縦パネル８部内、及び該後操縦パネル９部内とには、塵埃等の進入を防止する防塵カバー１０は、該前操縦パネル８には固着状態で、該後操縦パネル９には着脱自在に設けた、該防塵カバー１０で塵埃等の進入を防止させている。
【００１２】
前記走行車台２前部の操縦席７の左横側に、前後に２分割して設けた、前操縦パネル８と後操縦パネル９との全ての左側面部（イ）には、刈取装置４部内と、該前操縦パネル８部内と、該後操縦パネル９部内とに、塵埃の進入を防止する防塵カバー１０は、該前操縦パネル８には固着状態で、該後操縦パネル９には着脱自在に設けたことにより、塵埃等の進入を確実に防止できる。又、該防塵カバー１０を該前操縦パネル８に装着状態のままで、該後操縦パネル９の取り外しが容易に設けたことにより、補修点検が容易である。
【００１３】
前記防塵カバー１０の装着方法は、図１〜図４で示すように、前操縦パネル８部には、該前操縦パネル８の内側部を下方へ向けて、所定長さ折曲させて設けた前フランジ部（左側面部）８ａに、該防塵カバー１０の上部の所定位置を複数個のカシメ用ピン８ｂ等によって固着して設けている。又、後操縦パネル９の内側部は、下方へ向けて所定長さを折曲させ、更に、内側下部を内側下向へ所定角度で傾斜させて、後フランジ（左側面部）９ａ部を設けると共に、該後フランジ９ａ部には、所定間隔で各フック９ｂを回転自在に設け、この各フック９ｂへ該防塵カバー１０の後方上部に設けた各取付用孔１０ａ部を挿入し、該各フック９ｂを回動操作して、該防塵カバー１０を所定位置へ装着固定する構成である。該各フック９ｂの回動操作により、該防塵カバー１０の後方部は取り外し可能で、図４で示すように、該後操縦パネル９は着脱自在に設けている。該操縦席７の前部には、図３で示すように、速度メータ７ａ等を設けている。
【００１４】
図３で示すように、前記前操縦パネル８に設けた刈取変速レバー８ｃは、ノークラッチ変速機構とし、主変速レバー８ｄの右側で操縦席７に接近させて設けた構成である。
収穫作業時は、前記刈取変速レバー８ｃを常に握って作業する。又、刈取変速は、作業条件により、刈取変速を立毛と倒伏、倒伏と立毛への変速切り換えが必要であり、この必要であるが容易にできる。又、ノークラッチ変速機構の該刈取変速レバー８ｃは、該主変速レバー８ｄの右横の操縦席７側に配置しているので、作業時に瞬時に刈取変速ができて便利であると共に、刈取装置４の穀稈の詰りを防止することができる。
【００１５】
前記後操縦パネル９には、図３で示すように、刈取装置４（刈取クラッチ）と、脱穀装置５（脱穀クラッチ）とを始動、及び停止操作する刈脱クラッチレバー２７と、図１で示すように、ミッションケース２４の横側に設けた副変速ケース２４ｃを始動、及び停止操作する副変速レバー２８とを設けた構成である。
【００１６】
これにより、レバーの本数を減少させることができる。又、スイッチを前記後操縦パネル９に設けないことにより、ハーネスカプラを取り外す必要がなく、容易に該後操縦パネル９の取り外しができる。
【００１７】
前記前操縦パネル８には、図３で示すように、刈取変速レバー８ｃと、主変速レバー８ｄと、スロットルレバー２９と、本機制御用の各種のスイッチ３０とを設けた構成である。又、該前操縦パネル８と、後操縦パネル９との左横側板には、防塵カバー１０を装着した構成である。
【００１８】
これにより、各種レバーは用の溝より、塵埃等の吹き上がりを防止できる。
前記走行車台２の前方部には、図１で示すように、立毛穀稈を分離するナローガイド１１、及び各分草体１２と、立毛穀稈を引起す各引起装置１３と、引起された穀稈を掻込みする穀稈掻込移送装置１４の各掻込装置１５と、掻込された穀稈を刈取る刈刃装置１６と、刈取りされた穀稈を挟持移送して脱穀装置５のフィードチェン５ａと、挟持杆５ｂとへ受渡しする該穀稈掻込移送装置１４の根元・穂先移送装置１７・１８等からなる刈取装置４を設けている。該刈取装置４は、油圧駆動による伸縮シリンダ１９により、土壌面に対して昇降する。
【００１９】
前記刈取装置４の前方下部から後方上部へ傾斜する支持杆２０の上端部に設ける支持パイプ杆２１を、走行車台２の上側面に設けた支持装置２２で回動自在に支持させている。該伸縮シリンダ１９を作動させると支持杆２０と共に、該刈取装置４が上下回動する。
【００２０】
前記刈取装置４の穀稈掻込移送装置１４によって形成される穀稈移送経路中には、刈取られて移送する穀稈に接触作用することにより、脱穀装置５への穀稈の供給の有無を検出する穀稈センサ４ａを設けている。
【００２１】
前記穀粒貯留タンク６側の前部には、図１，及び図３で示すように、コンバイン１を始動、停止、及び各部を調節等の操作を行う操作装置の前操縦ケース８と、後操縦ケース９と、操縦席７とを設け、この操縦席７の下側にエンジン２３を載置している。
【００２２】
前記走行車台２の前端部に装架した走行用ミッションケース２４内の伝動機構２４ａの伝動経路中には、その出力に基づいて、走行車速を検出するポテンションメータ方式の車速センサ２４ｂを設けている。
【００２３】
前記穀粒貯留タンク６内へ貯留した穀粒を機外へ排出するこの穀粒貯留タンク６の後側には、図１、及び図２で示すように、縦移送螺旋２５ａを内装した排出支持筒２５を略垂直姿勢で旋回自在に装着して設け、この排出支持筒２５の上端部には、その全長がコンバイン１の前後長に亘る機外へ穀粒を排出する排出螺旋２６ａを伸縮自在に内装した排出オーガ２６を伸縮自在、上下回動自在、及び左右旋回自在に前後方向に配設している。
【００２４】
前記コンバイン１の脱穀装置５の後側には、図２、及び図６で示すように、脱穀済みの排藁を所定長さに切断して、圃場表面に排出するカッタ装置３１を設け、このカッタ装置３１の上部には、開閉自在な切換板３１ｂの開閉状態を検出する切換板スイッチ３１ａを設けている。
【００２５】
前記脱穀装置５の上部に噴射ノズル３２ａを複数個を設けて、該カッタ装置３１へ霧を噴射すると共に、該カッタ装置３１の後板３１ｃの下方部に噴射ノズル下３２ｂを複数個とを設けて、三番排出口５ｃ部へ霧を噴射する構成である。ノッタ、及びドロッパ作業時には、三番排塵口５ｃ部へのみ噴射する構成である。
【００２６】
これにより、排藁落下部から粉塵を抑えることができる。三番排出口５ｃからの粉塵を抑えることができる。又、自動で噴射の入り切りができる。更に、ノッタ、及びドロッパ作業時の無駄な噴射を抑えることができる。
【図面の簡単な説明】
【００２７】
【図１】コンバインの左全体側面図
【図２】コンバインの全体背面図
【図３】前・後操縦パネル部の全体平面図
【図４】前・後操縦パネル部と防塵カバーとの右側面図
【図５】主変速レバーと刈取変速レバーとの背面図
【図６】脱穀装置後部のカッタ装置部の左側面図
【符号の説明】
【００２８】
２    走行車台
３    刈取装置
７    操縦席
８    前操縦パネル
８ａ  左側面部
９    後操縦パネル
９ａ  左側面部
１０    防塵カバー
【図１】
2009232768.tif 000003
【図２】
2009232768.tif 000004
【図３】
2009232768.tif 000005
【図４】
2009232768.tif 000006
【図５】
2009232768.tif 000007
【図６】
2009232768.tif 000008